(57)【要約】【課題】  本発明は、身分証明書等の個別識別を必要とする貴重印刷物の分野において、改ざん防止及び偽造防止の可変情報印刷物及び可変情報印刷物用データの作成方法に関わるものである。【解決手段】  貴重価値が等しい製品が複数存在する可変情報印刷物において、基材の少なくとも一部に、所定の模様を有した可変情報領域を備え、模様の一部に、印刷ごとに異なる情報を有する可変情報から構成された可変情報部を有し、可変情報の中は模様を有していない可変情報印刷物である。【選択図】  図７
2019137042.tif 000002
【特許請求の範囲】
【請求項１】
貴重価値が等しい製品が複数存在する可変情報印刷物において、
基材の少なくとも一部に、所定の模様を有した可変情報領域を備え、
前記模様の一部に、印刷ごとに異なる情報を有する可変情報から構成された可変情報部を有し、
前記可変情報の中は前記模様を有していないことを特徴とする可変情報印刷物。
【請求項２】
前記可変情報は、更に前記可変情報と同一情報、同一形状かつ前記可変情報より大きい輪郭可変情報が、前記可変情報の輪郭に沿って配置されて成り、
前記輪郭可変情報の中には前記模様を有していないことを特徴とする請求項１記載の可変情報印刷物。
【請求項３】
前記可変情報部及び／又は前記輪郭可変情報は、機能性を有するインキで形成されて成ることを特徴とする請求項１又は２記載の可変情報印刷物。
【請求項４】
基材の少なくとも一部に、所定の模様を有した可変情報領域を備え、前記模様の一部に、印刷ごとに異なる情報を有する可変情報から構成された可変情報部を有し、前記可変情報の中は前記模様を有していない可変情報印刷物において、前記可変情報印刷物用データを作成する方法であって、
前記模様の基となる基模様と、前記可変情報部の基となる前記可変情報とを、作成する又はあらかじめ登録したデータベースから取り込む工程と、
前記可変情報領域のレイアウトを作成し、前記レイアウトを基準に、前記印刷ごとに異なる情報に基づいて可変情報部を作成する工程と、
前記レイアウトを基準に、前記基模様に基づいて模様部を作成する工程と、
前記模様部と前記可変情報部を重ねて配置し、前記模様と前記可変情報の重複部分を統合することで、前記可変情報の中に前記模様を有していない可変情報領域を生成する工程を少なくとも備えたことを特徴とする可変情報印刷物用データの作成方法。
【請求項５】
前記可変情報を基準に、前記可変情報よりも大きく、かつ、同一情報及び同一形状の輪郭可変情報を作成する工程を更に有し、
前記模様部と、前記輪郭可変情報部と、前記可変情報部を重ねて配置し、前記模様と前記可変情報の重複部分及び前記模様と前記可変情報の重複部分を統合することで、前記可変情報及び前記輪郭可変情報の中に前記模様を有していない可変情報領域を生成する工程を少なくとも備えたことを特徴とする請求項４記載の可変情報印刷物用データの作成方法。
【発明の詳細な説明】
【技術分野】
【０００１】
本発明は、偽造防止効果を必要とするセキュリティ印刷物である銀行券、パスポート、有価証券、身分証明書、カード、通行券等の個別識別を必要とする貴重印刷物の分野において、改ざん防止及び偽造防止の可変情報印刷物及び可変情報印刷物用データの作成方法に関わるものである。
【背景技術】
【０００２】
近年のスキャナ、プリンタ、コピー機等のデジタル機器の進展や化学薬品により、貴重印刷物の精巧な複製物や改ざんを容易に作成することが可能となっている。そのため、前述したような偽造や改ざんを防止するため、特殊な薬品では改ざんされないことやスキャナ、プリンタ、コピー機等では再現不可能な様々な偽造防止技術が必要とされている。
【０００３】
銀行券、パスポート、有価証券、身分証明書、カード、通行券等は、複数枚印刷しているものである。すなわち１つの券種全てが同じ模様を印刷している場合が多い。また、それらの印刷物が固有であることを明確にするため、個々の券面には文字、数字、記号等から成る可変情報部（例えば、記番号）が印刷されているのが一般的である。この記番号は、印刷物を個体判別するのに重要であり、仮に同じ模様で記番号が異なる印刷物があると、一方が真正で、他方が偽造又は複製であることが一目瞭然で分かる。
【０００４】
当然ながら、製造工程では券面一枚ごとに確実に異なる文字、数字、記号等から成る可変情報部が印刷されていることが重要である。模様と文字、数字、記号等から成る可変情報部を含む印刷物の券面を画像入力部によって入力し、得られた画像信号をパターンマッチング回路によって印刷された記番号が適切であるかを判定する装置が開示されており、印刷後の管理技術によって今日では同じ記番号の印刷物が市中に出回ることはほとんどない（例えば、特許文献１参照）。
【０００５】
しかし、記番号は、印刷物中の一部分に印刷されているにすぎず、不心得者によって簡単に改ざんされてしまうという欠点がある。もちろん、印刷物に改ざん防止及び偽造防止を施すことはいうまでもないが、近年の特殊な薬品やスキャナ、プリンタ、コピー機等の普及に伴い、有価証券や証明書の不正な複製や改ざんが容易となってきた。
【０００６】
こうした状況に鑑み、記番号を機械認証する方法はこれまで数多く検討され開示されている。機械読取要素の変動セキュリティ要素において、一般に視認可能な要素は固定しておき、不可視要素としての機械的な要素のみを変動させるものである。この場合、変動する要素についての真偽判定においては、その変動要素のデータを持つことが必要である。これは、スタンドアローンの装置では困難であるが、ネットワークでこれらの変動要素による情報をデータベース端末に送ることにより真偽判定精度を向上させることができるとしている。すなわち、現在のネットワーク技術をセキュリティに活用することにより、従来の手法の弱点を補うことができる。この場合、この変動要素の情報を特定のデータベース端末に集中することにより秘密保持が可能となり、また、偽造犯の分析は不可能となる（例えば、特許文献２参照）。
【０００７】
また、今日では、有価証券や証明書を取り扱う場面に際し、ＩＣメモリーカード等の電子媒体を用いた認証技術によって犯罪を防ぐ取組もある。このように印刷物のみならず、ネットワーク技術との併用や電子回路等の電子的な補助媒体を印刷物に設けることによってセキュリティを高めるのに有効である。
【０００８】
しかし、ネットワーク技術や印刷物に付加する電子的な補助媒体を用いた認証技術は、優れた方法ではあるものの、一方では認証用端末に関わるインフラ整備や、電子化された情報そのものを保護するという問題もある。少なくとも真偽判定を電子的な方法のみに任せるのではなく、印刷物の中だけで完結する簡便な方法が求められている。
【０００９】
さらに、チケットや預金証書において、静電印刷機の高い印字処理能力に着目し、その印字像の定着を良好にしたシートを用いて、例えば予約情報や金額情報等をシートに印字して各種チケットや預金証書等を連続的に作成処理することが行われている。これらチケットや預金証書等を作成する場合は、品位を高めるため、またシートの偽造防止のため、あるいは部分的強調のためインキをベタ印刷、地紋印刷等の所要の印刷法によって背景印刷、ロゴマーク印刷等があらかじめ印刷されることから、印字像定着層を有するシートに対して印刷を行ったものを出力機器に装填しており、このように、全体、あるいは所要箇所に前述したような印刷を行ったシートに対して印字処理を行い、チケットや預金証書等が作成されている。
【００１０】
しかしながら、前述したようにチケット用や預金証書用等として用意されるシートは、上層から印刷層、印字像定着層、シート基材の層構成となり、印字された印字像と印字像定着層との間に印刷層が介在する結果となる。このため印字像の定着度合いが低くなってしまい、チケットとしての予約番号や預金証書の表示金額等の出力情報が改ざんされやすくなるという不都合がある。
【００１１】
そこで前述した事情に鑑み、印字像の定着度合いを低下させないことを課題とし、可変情報を出力してチケットや預金証書等を作成した際にその印字像が改ざんされないようにすることが望まれている。
【００１２】
前述した課題を考慮してなされたもので、シート基材上に、インキをベタ印刷、地紋印刷等の所要の印刷法により印刷してなる印刷層を設け、この印刷層上に印字像定着層を設けたことを特徴とする印字用シートを提供して、前述した課題を解消するものが開示されている（例えば、特許文献３参照）。
【００１３】
ここで、有価証券や証明書等の印刷物が固有であることを明確にするため、個々の券面には文字、数字、記号等から成る可変情報部（例えば、記番号）が印刷されているのが一般的である。この記番号は、印刷物中の一部分に印刷されているにすぎず、不心得者によって簡単に改ざんされてしまうという欠点がある。この欠点のある印刷物について説明する。
【００１４】
図１（ａ）に示すように、基材１´の少なくとも一部に、所定の模様２´を有した可変情報領域４´を備え、模様の一部に、印刷ごとに異なる情報を有する可変情報３ａ´から構成された可変情報部３´を有している。この基材１´上に印刷された可変情報領域４´は、図１（ｂ１）に示すように、所定の模様２´は、印刷機により印刷の刷り順番として前刷りされ、図１（ｂ２）に示すように、可変情報３ａ´から構成された可変情報部３´は、印刷機により印刷の刷り順番として後刷りされている。すなわち、前刷りされた所定の模様２´（黒彩紋）は、後刷りされた可変情報部３´（数字０１２３４５６７８９）の下に存在している。
【００１５】
図２は、図１（ａ）に示された基材１´上に印刷された可変情報領域４´の印刷機による作成方法を示す図である。図２（ａ）に示すように、基材１´上に印刷された可変情報領域４´は、所定の模様２´が印刷機により必要とする印刷部数分をあらかじめ前刷りされ、その後、図２（ｂ）、（ｃ）、（ｄ）の順番で、所定の模様２´が印刷された上に可変情報３ａ´から構成された可変情報部３´を印刷機により重ねるように印刷され、この図面においては、３枚の可変情報印刷物ができる。記番号の数量分、可変情報印刷物を作成することができる。
【００１６】
図３は、図１（ａ）に示された基材１´上に印刷された可変情報領域４´の改ざん方法を示す図である。図３（ａ）に示すように、所定の模様２´の上に印刷された可変情報３ａ´から構成された可変情報部３´（数字０１２３４５６７８９）を特殊な薬品により消去し、図２（ａ）に示した所定の模様２´が印刷された状態に戻す。その後、図３（ｂ）に示す新たな可変情報３ａ´から構成された可変情報部３´（数字９８７６５４３２１０）を所定の模様２´が印刷された図３（ａ）の上に印刷すると、改ざんされた図３（ｃ）の印刷物ができる。
【００１７】
すなわち、後刷りされた可変情報部３´（数字０１２３４５６７８９）の下に前刷りされた所定の模様２´（黒彩紋）が存在しているため、図２（ａ）に示された所定の模様２´（黒彩紋）が印刷された状態に戻すことができ、図３（ａ）に示す所定の模様２´（黒彩紋）や偽造防止策が施されている貴重印刷物を改ざん犯や偽造犯が正規な方法で印刷物を所持していなくても、図３（ｂ）に示す新たな可変情報部３´（数字９８７６５４３２１０）を所定の模様２´（黒彩紋）の上に印刷してしまえば、真正な印刷物を取得したと装うことができる。また、有価証券、身分証明書等は、図２（ａ）に示された所定の模様２´（黒彩紋）のような貴重模様ばかりでなく、他の部分にも偽造防止策が施されている貴重印刷物で、この記番号の一部を改ざんされてしまうと貴重印刷物全体が真正な印刷物とみなされてしまうことは問題である。
【先行技術文献】
【特許文献】
【００１８】
【特許文献１】特開平１１−３４８２４２号公報
【特許文献２】特開２００２−６７５５５号公報
【特許文献３】特開平６−２８６３８０号公報
【発明の概要】
【発明が解決しようとする課題】
【００１９】
前述したとおり、図１（ａ）に示した可変情報印刷物は、後刷りされた可変情報部３´の下に前刷りされた所定の模様２´が存在しているため、図１（ｂ１）に示された所定の模様２´が印刷された状態に戻すことができ、その後、新たな可変情報部３´を所定の模様２´の上に印刷してしまえば真正な印刷物を取得したと装い、容易に改ざんできることが問題であった。
【００２０】
本発明は、前述した課題の解決を目的とするものであり、正規な記番号等を消去し、不正な記番号等を新たに印刷することで、真正な印刷物を取得したと装うことができず、容易に改ざんされない可変情報印刷物を提供することを目的とする。
【課題を解決するための手段】
【００２１】
本発明における可変情報印刷物は、貴重価値が等しい製品が複数存在する可変情報印刷物において、基材の少なくとも一部に、所定の模様を有した可変情報領域を備え、模様の一部に、印刷ごとに異なる情報を有する可変情報から構成された可変情報部を有し、可変情報部の中は模様を有していないことを特徴とする。
【００２２】
本発明における可変情報印刷物は、可変情報は、更に可変情報と同一情報、同一形状かつ可変情報より大きい輪郭可変情報が、可変情報の輪郭に沿って配置されて成り、輪郭可変情報の中には模様を有していないことを特徴とする。
【００２３】
本発明における可変情報印刷物は、可変情報部及び／又は輪郭可変情報が、機能性を有するインキで形成されて成ることを特徴とする。
【００２４】
本発明における可変情報印刷物用データの作成方法は、基材の少なくとも一部に、所定の模様を有した可変情報領域を備え、模様の一部に、印刷ごとに異なる情報を有する可変情報から構成された可変情報部を有し、可変情報部の中は模様を有していない可変情報印刷物において、可変情報印刷物用データを作成する方法であって、模様の基となる基模様と、可変情報部の基となる可変情報とを、作成する又はあらかじめ登録したデータベースから取り込む工程と、可変情報領域のレイアウトを作成し、レイアウトを基準に、印刷ごとに異なる情報に基づいて可変情報を作成する工程と、レイアウトを基準に、基模様に基づいて模様部を作成する工程と、模様部の上に可変情報部を重ねて配置し、模様と可変情報の重複部分を統合することで、可変情報の中に模様を有していない可変情報領域を生成する工程を少なくとも備えたことを特徴とする。
【００２５】
本発明における可変情報印刷物用データの作成方法は、可変情報を基準に、可変情報よりも大きく、かつ、同一情報及び同一形状の輪郭可変情報を作成する工程を更に有し、模様部の上に輪郭可変情報部を重ね、更にその上に可変情報部を重ねて配置し、模様と可変情報の重複部分及び模様と可変情報の重複部分を統合することで、可変情報及び輪郭可変情報の中に模様を有していない可変情報領域を生成する工程を少なくとも備えたことを特徴とする。
【発明の効果】
【００２６】
本発明の可変情報印刷物においては、可変情報の中又は下に所定の模様を有していないため、新たな可変情報部を印刷することができず、容易に複製及び改ざんすることができない印刷物となる。
【００２７】
本発明の可変情報印刷物においては、生産性の高い印刷方式であるオフセット印刷と可変情報を印刷するプリンタ等の併用又は単独でも製造可能であることから、多機能な高機能印刷物として優れ、ワンパス印刷が可能である。また、最新のデジタル機器を用いたとしても可変情報の中又は下に所定の模様を有していないため、改ざんすることができないことから、改ざん及び偽造の防止効果に優れている。
【図面の簡単な説明】
【００２８】
【図１】従来の記番号の印刷物と、印刷の刷り順番を示す図である。
【図２】図１（ａ）に示された基材上に印刷された可変情報領域の印刷機による作成方法を示す図である。
【図３】図１（ａ）に示された基材上に印刷された可変情報領域の改ざん方法を示す図である。
【図４】可変情報印刷物とその可変情報印刷物のデータ階層構造を示す図である。
【図５】可変情報印刷物とその可変情報印刷物のデータ階層構造を示す図である。
【図６】可変情報印刷物とその可変情報印刷物のデータ階層構造を示す図である。
【図７】本発明の可変情報印刷物とその可変情報印刷物の一部の拡大図を示す図である。
【図８】図７（ａ）が示す可変情報印刷物のデータ階層構造を示す図である。
【図９】図７（ａ）が示す可変情報印刷物のデータ階層構造を示す図である。
【図１０】本発明の可変情報印刷物とその可変情報印刷物の一部の拡大図を示す図である。
【図１１】図１０（ａ）が示す可変情報印刷物のデータ階層構造を示す図である。
【図１２】図１０（ａ）が示す可変情報印刷物のデータ階層構造を示す図である。
【図１３】本発明の可変情報印刷物とその可変情報印刷物の一部の拡大図を示す図である。
【図１４】図１３（ａ）が示す可変情報印刷物のデータ階層構造を示す図である。
【図１５】本発明の可変情報印刷物とその可変情報印刷物の一部の拡大図を示す図である。
【図１６】図１５（ａ）が示す可変情報印刷物のデータ階層構造を示す図である。
【図１７】可変情報印刷ソフトウェアで作成するレイアウトデータを示す図である。
【図１８】可変情報印刷ソフトウェア、登録済みデータベース及び画像処理ソフトウェアの関係性を示す図である。
【図１９】可変情報印刷ソフトウェア、登録済みデータベース及び画像処理ソフトウェアの関係性を示す図である。
【図２０】可変情報印刷ソフトウェアで作成するレイアウトデータを示す図である。
【図２１】可変情報印刷ソフトウェア、登録済みデータベース及び画像処理ソフトウェアの関係性を示す図である。
【図２２】可変情報印刷ソフトウェア、登録済みデータベース及び画像処理ソフトウェアの関係性を示す図である。
【図２３】可変情報印刷ソフトウェア、登録済みデータベース及び画像処理ソフトウェアの関係性を示す図である。
【図２４】可変情報の一例を示す図である。
【図２５】可変情報の一例を示す図である。
【図２６】所定の模様と基模様の一例を示す図である。
【図２７】図１３（ａ）が示す可変情報印刷物に紫外線を照射した際の状態を示す図である。
【図２８】図１３（ａ）が示す可変情報印刷物に紫外線を照射した際の状態を示す図である。
【図２９】図１３（ａ）が示す可変情報印刷物をＩＲカメラで視認した際の状態を示す図である。
【発明を実施するための形態】
【００２９】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００３０】
（データに関する第１の実施形態）
図４は、可変情報印刷物とその可変情報印刷物のデータ階層構造を示す図である。図４（ａ）に示すように、基材１の少なくとも一部に、所定の模様２を有した可変情報領域４を備え、所定の模様２の一部に、印刷ごとに異なる情報を有する可変情報部３を有し、可変情報部３の中は所定の模様２を有していない。図４（ｂ１）及び（ｂ２）は、データの階層構造を示し、図４（ｂ１）は、上位階層に当たり可変情報領域４に有する可変情報部３を示し、可変情報部３は、長方形を構成する白塗りのデータである。また、図４（ｂ２）は、下位階層に当たり可変情報領域４に有する基模様５を示し、基模様５は、長方形を構成する黒塗りのデータである。
【００３１】
図４（ｂ１）及び（ｂ２）は、データの階層構造を示しているため、基模様５の上に可変情報部３を配置すると、可変情報部３の長方形が白塗りであることから、基模様５の長方形の黒塗りの一部を隠蔽することになる。すなわち、これは階層構造のデータであるため、印刷用の最終データでは統合され、可変情報部３の長方形の中は基模様５を有していない可変情報印刷物になる。
【００３２】
（データに関する第２の実施形態）
図５は、可変情報印刷物とその可変情報印刷物のデータ階層構造を示す図である。図５（ａ）に示すように、基材１の少なくとも一部に、所定の模様２を有した可変情報領域４を備えた可変情報印刷物である。図５（ｂ１）及び（ｂ２）は、データの階層構造を示し、図５（ｂ１）は、上位階層に当たり、可変情報領域４に有する基模様５を示し、基模様５は、長方形を構成する黒塗りのデータである。また、図５（ｂ２）は、下位階層に当たり、可変情報領域４に有する可変情報部３を示し、可変情報部３は、長方形を構成する白塗りのデータである。なお、図４（ｂ１）と図５（ｂ２）は、同等のデータであり、図４（ｂ２）と図５（ｂ１）は、同等のデータである。
【００３３】
図５（ｂ１）及び（ｂ２）は、データの階層構造を示しているため、可変情報部３の上に基模様５を配置すると、基模様５の長方形が黒塗りであることから、可変情報部３の長方形の白塗りを隠蔽することになる。前述したが、図４（ｂ１）と図５（ｂ２）は同等のデータであり、図４（ｂ２）と図５（ｂ１）は同等のデータであるが、データの階層構造を上下入れ替えただけで、図４（ａ）と図５（ａ）が示すように、可変情報印刷物は、異なる印刷物となる。すなわち、扱っているデータが共通であっても、データの階層構造の上下関係によっては、可変情報印刷物が異なった印刷物になるため、データの階層構造の上下関係は重要となる。
【００３４】
（データに関する第３の実施形態）
図６は、可変情報印刷物とその可変情報印刷物のデータ階層構造を示す図である。図６（ａ）に示すように、基材１の少なくとも一部に、所定の模様２を有した可変情報領域４を備え、所定の模様２の一部に、印刷ごとに異なる情報を有する可変情報部３を有し、可変情報部３の中は所定の模様２を有していない。図６（ｂ１）及び（ｂ２）は、データの階層構造を示し、図６（ｂ１）は、上位階層に当たり可変情報領域４に有する基模様５を示し、基模様５は、長方形を構成し可変情報部３と同一形状の長方形で切り抜かれた黒塗りのデータである。また、図６（ｂ２）は、下位階層に当たり可変情報領域４に有する可変情報部３を示し、可変情報部３は、長方形を構成する白塗りのデータである。
【００３５】
図６（ｂ１）及び（ｂ２）は、データの階層構造を示しているため、可変情報部３の上に基模様５を配置すると、基模様５は、可変情報部３と同一形状の長方形で切り抜かれていることから、下位階層に当たる可変情報部３が視認されている状態になる。そのため、図６（ｂ１）と図６（ｂ２）のデータの階層構造を上下入れ替えても図６（ａ）に示す可変情報印刷物を得ることができる。すなわち、図４（ａ）と図６（ａ）が示す可変情報印刷物は、同等の印刷物を示すが、データの階層構造とデータの形状は異なるものになるため、最終的な可変情報印刷物を想定してデータの階層構造の上下関係及びデータの形状を考慮しなければならない。
【００３６】
（印刷物に関する第１の実施形態）
図７は、本発明の可変情報印刷物とその可変情報印刷物の一部の拡大図を示す図である。図７（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、所定の模様２は、印刷ごとに異ならない情報を有する固定情報又は印刷ごとに異なる情報を有する可変情報から構成される基模様５になる場合もある。
【００３７】
図７（ｂ）は、可変情報３ａの数字の一部を拡大したものを示し、接点Ａは、可変情報３ａの「数字の４の一部」と所定の模様２の「彩紋の一部」が接触していることを示している。これは、数字と彩紋が接触することにより、若干、可変情報印刷物において、数字の視認性が悪くなってしまう。この視認性が悪くなることに対する対応策の一例については、後述する印刷物に関する第３の実施形態で説明する。
【００３８】
図８は、図７（ａ）に示す可変情報印刷物のデータ階層構造を示す図である。また、図８は、図４（ｂ１）及び（ｂ２）のデータの階層構造と同等である。図８（ａ１）は、上位階層に当たり、可変情報領域４内に形成される可変情報３ａから構成された可変情報部３を示し、可変情報３ａから構成された可変情報部３は、０から９までの記番号を構成する白塗りのデータである。さらに、図８（ａ２）は、下位階層に当たり、可変情報領域４内に形成される基模様５を示し、基模様５は、長方形を構成する白彩紋のデータである。
【００３９】
図８（ａ１）及び（ａ２）は、データの階層構造を示しているため、基模様５の上に可変情報３ａから構成された可変情報部３を配置すると、可変情報３ａから構成された可変情報部３が０から９までの記番号を構成する白塗りであることから、基模様５の長方形を構成する白彩紋の一部を隠蔽することになる。すなわち、これは階層構造のデータであるため、印刷用の最終データでは統合され、可変情報３ａから構成された可変情報部３の０から９までの記番号の中は基模様５（白彩紋）を有していない可変情報印刷物になる。
【００４０】
図９は、図７（ａ）が示す可変情報印刷物のデータ階層構造を示す図である。また、図９は、図６（ｂ１）及び（ｂ２）のデータの階層構造と同等である。図９（ａ１）は、上位階層に当たり、可変情報領域４内に形成される基模様５を示し、基模様５は、長方形を構成し可変情報３ａから構成された可変情報部３と同一情報、同一形状の記番号（０から９まで）で切り抜かれた白彩紋のデータである。さらに、図９（ａ２）は、下位階層に当たり、可変情報領域４に有する可変情報３ａから構成された可変情報部３を示し、可変情報３ａから構成された可変情報部３は、０から９までの記番号を構成する白塗りのデータである。
【００４１】
図９（ａ１）及び（ａ２）は、データの階層構造を示しているため、可変情報３ａから構成された可変情報部３の上に基模様５を配置すると、基模様５は、長方形を構成し可変情報３ａから構成された可変情報部３と同一情報、同一形状の記番号（０から９まで）で切り抜かれていることから、下位階層に当たる可変情報３ａから構成された可変情報部３が視認されている状態になる。
【００４２】
そのため、図９（ａ１）と図９（ａ２）のデータの階層構造を上下入れ替えても図７（ａ）に示す可変情報印刷物を得ることができる。すなわち、図８や図９が示すように、データの階層構造の上下関係とデータの形状を異ならせても、最終的な図７（ａ）に示す可変情報印刷物は同等になるが、後述する可変情報印刷ソフトウェアのレイアウトデータを作成する際は、最終的な可変情報印刷物を想定してデータの階層構造の上下関係及びデータの形状を考慮しなければ、図７（ａ）に示す可変情報印刷物を得ることができない。
【００４３】
（印刷物に関する第２の実施形態）
図１０は、本発明の可変情報印刷物とその可変情報印刷物の一部の拡大図を示す図である。図１０（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、所定の模様２は、印刷ごとに異ならない情報を有する固定情報又は印刷ごとに異なる情報を有する可変情報から構成される基模様５になる場合もある。
【００４４】
図１０（ｂ）は、可変情報３ａの数字の一部を拡大したものを示し、接点Ａは、可変情報３ａの「数字の４の一部」と所定の模様２の「彩紋の一部」が接触していることを示している。これは、数字と彩紋が接触することにより、若干、可変情報印刷物において、数字の視認性が悪くなってしまう。この視認性が悪くなることに対する対応策の一例については、後述する印刷物に関する第４の実施形態で説明する。
【００４５】
図１１は、図１０（ａ）が示す可変情報印刷物のデータ階層構造を示す図である。また、図１１は、図４（ｂ１）及び（ｂ２）のデータの階層構造と同等である。図１１（ａ１）は、上位階層に当たり、可変情報領域４内に形成される可変情報３ａから構成された可変情報部３を示し、可変情報３ａから構成された可変情報部３は、０から９までの記番号を構成する黒塗りのデータである。さらに、図１１（ａ２）は、下位階層に当たり、可変情報領域４内に形成される基模様５を示し、基模様５は、長方形を構成する黒彩紋のデータである。
【００４６】
図１１（ａ１）及び（ａ２）は、データの階層構造を示しているため、基模様５の上に可変情報３ａから構成された可変情報部３を配置すると、可変情報３ａから構成された可変情報部３が０から９までの記番号を構成する黒塗りであることから、基模様５の長方形を構成する黒彩紋の一部を隠蔽することになる。すなわち、これは階層構造のデータであるため、印刷用の最終データでは統合され、可変情報３ａから構成された可変情報部３の０から９までの記番号の中は基模様５（黒彩紋）を有していない可変情報印刷物になる。
【００４７】
図１２は、図１０（ａ）が示す可変情報印刷物のデータ階層構造を示す図である。また、図１２は、図６（ｂ１）及び（ｂ２）のデータの階層構造と同等である。図１２（ａ１）は、上位階層に当たり、可変情報領域４内に形成される基模様５を示し、基模様５は、長方形を構成し可変情報３ａから構成された可変情報部３と同一情報、同一形状の記番号（０から９まで）で切り抜かれた黒彩紋のデータである。さらに、図１２（ａ２）は、下位階層に当たり、可変情報領域４内に形成される可変情報３ａから構成された可変情報部３を示し、可変情報３ａから構成された可変情報部３は、０から９までの記番号を構成する黒塗りのデータである。
【００４８】
図１２（ａ１）及び（ａ２）は、データの階層構造を示しているため、可変情報３ａから構成された可変情報部３の上に基模様５を配置すると、基模様５は、長方形を構成し可変情報３ａから構成された可変情報部３と同一情報、同一形状の記番号（０から９まで）で切り抜かれていることから、下位階層に当たる可変情報３ａから構成された可変情報部３が視認されている状態になる。
【００４９】
そのため、図１２（ａ１）と図１２（ａ２）のデータの階層構造を上下入れ替えても図１０（ａ）に示す可変情報印刷物を得ることができる。すなわち、図１１や図１２が示すように、データの階層構造の上下関係とデータの形状を異ならせても、最終的な図１０（ａ）に示す可変情報印刷物は同等になるが、後述する可変情報印刷ソフトウェアのレイアウトデータを作成する際は、最終的な可変情報印刷物を想定してデータの階層構造の上下関係及びデータの形状を考慮しなければ、図１０（ａ）に示す可変情報印刷物を得ることができない。
【００５０】
（印刷物に関する第３の実施形態）
図１３は、本発明の可変情報印刷物とその可変情報印刷物の一部の拡大図を示す図である。図１３（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、可変情報３ａは、更に可変情報３ａと同一情報、同一形状かつ可変情報３ａより大きい輪郭可変情報６が、可変情報３ａの輪郭に沿って配置されて成る可変情報印刷物である。さらに、所定の模様２は、印刷ごとに異ならない情報を有する固定情報又は印刷ごとに異なる情報を有する可変情報から構成される基模様５になる場合もある。
【００５１】
図１３（ｂ）は、可変情報３ａの数字の一部を拡大したものを示し、接点Ｂは、輪郭可変情報６の「数字の４の一部」と所定の模様２の「彩紋の一部」が接触していることを示している。この構成は、印刷物に関する第１の実施形態において前述したが、じかに数字と彩紋が接触すると数字の視認が悪くなるため、それを解決するための対応策の一例である。つまり、数字と彩紋の間に輪郭可変情報６を設け、輪郭可変情報６と彩紋が接触することにより数字と彩紋の間に一線でき、数字と彩紋が区別されることで数字の視認性が良くなるようにしている。一般的な印刷物としては、図７（ａ）で示した可変情報印刷物よりも図１３（ａ）に示した可変情報印刷物の方が使われる頻度が高い。
【００５２】
図１４は、図１３（ａ）に示す可変情報印刷物のデータ階層構造を示す図である。図１４（ａ１）は、上位階層に当たり、可変情報領域４内に形成される可変情報３ａから構成された可変情報部３を示し、可変情報３ａから構成された可変情報部３は、０から９までの記番号を構成する白塗りのデータである。また、図１４（ａ２）は、中位階層に当たり、可変情報領域４内に形成される輪郭可変情報６を示し、輪郭可変情報６は、可変情報３ａから構成された可変情報部３の０から９までの記番号と同一情報、同一形状かつ可変情報３ａより大きく構成する黒線のデータである。さらに、図１４（ａ３）は、下位階層に当たり、可変情報領域４内に形成される基模様５を示し、基模様５は、長方形を構成する白彩紋のデータである。
【００５３】
図１４（ａ１）、（ａ２）及び（ａ３）は、データの階層構造を示しているため、基模様５の上に輪郭可変情報６を重ね、更にその上に可変情報３ａから構成された可変情報部３を配置すると、基模様５の長方形を構成する白彩紋の一部は、可変情報３ａから構成された可変情報部３の０から９までの記番号と同一情報、同一形状かつ可変情報３ａより大きく構成する黒線と、可変情報３ａから構成された可変情報部３が０から９までの記番号を構成する白塗りの２つのデータで隠蔽されることになる。すなわち、これは階層構造のデータであるため、印刷用の最終データでは統合され、可変情報３ａから構成された可変情報部３の０から９までの記番号の中と、可変情報３ａから構成された可変情報部３の０から９までの記番号と同一情報、同一形状かつ可変情報３ａより大きい輪郭可変情報６の中は基模様５（白彩紋）を有していない可変情報印刷物になる。
【００５４】
（印刷物に関する第４の実施形態）
図１５は、本発明の可変情報印刷物とその可変情報印刷物の一部の拡大図を示す図である。図１５（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、可変情報３ａは、更に可変情報３ａと同一情報、同一形状かつ可変情報３ａより大きい輪郭可変情報６が、可変情報３ａの輪郭に沿って配置されて成る可変情報印刷物である。さらに、所定の模様２は、印刷ごとに異ならない情報を有する固定情報又は印刷ごとに異なる情報を有する可変情報から構成される基模様５になる場合もある。
【００５５】
図１５（ｂ）は、可変情報３ａの数字の一部を拡大したものを示し、接点Ｂは、輪郭可変情報６の「数字の４の一部」と所定の模様２の「彩紋の一部」が接触していることを示している。この構成は、印刷物に関する第２の実施形態において前述したが、じかに数字と彩紋が接触すると数字の視認が悪くなるため、それを解決するための対応策の一例である。つまり、数字と彩紋の間に輪郭可変情報６を設け、輪郭可変情報６と彩紋が接触することにより数字と彩紋の間に一線でき、数字と彩紋が区別されることで数字の視認性が良くなるようにしている。一般的な印刷物としては、図１０（ａ）で示した可変情報印刷物よりも図１５（ａ）に示した可変情報印刷物の方が使われる頻度が高い。
【００５６】
図１６は、図１５（ａ）が示す可変情報印刷物のデータ階層構造を示す図である。図１６（ａ１）は、上位階層に当たり、可変情報領域４内に形成される可変情報３ａから構成された可変情報部３を示し、可変情報３ａから構成された可変情報部３は、０から９までの記番号を構成する黒塗りのデータである。また、図１６（ａ２）は、中位階層に当たり、可変情報領域４内に形成される輪郭可変情報６を示し、輪郭可変情報６は、可変情報３ａから構成された可変情報部３の０から９までの記番号と同一情報、同一形状かつ可変情報３ａより大きく構成する白線のデータである。仮画像Ｃは、輪郭可変情報６が白線のデータで視認しづらいため、グレー画像を配置している。このグレー画像は、実データには存在していない。さらに、図１６（ａ３）は、下位階層に当たり、可変情報領域４内に形成される基模様５を示し、基模様５は、長方形を構成する黒彩紋のデータである。
【００５７】
図１６（ａ１）、（ａ２）及び（ａ３）は、データの階層構造を示しているため、基模様５の上に輪郭可変情報６を重ね、更にその上に可変情報３ａから構成された可変情報部３を配置すると、基模様５の長方形を構成する黒彩紋の一部は、可変情報３ａから構成された可変情報部３の０から９までの記番号と同一情報、同一形状かつ可変情報３ａより大きく構成する白線と、可変情報３ａから構成された可変情報部３が０から９までの記番号を構成する黒塗りの２つのデータで隠蔽されることになる。すなわち、これは階層構造のデータであるため、印刷用の最終データでは統合され、可変情報３ａから構成された可変情報部３の０から９までの記番号の中と、可変情報３ａから構成された可変情報部３の０から９までの記番号と同一情報、同一形状かつ可変情報３ａより大きい輪郭可変情報６の中は基模様５（黒彩紋）を有していない可変情報印刷物になる。
【００５８】
（印刷物に関する第５の実施形態）
本形態は、図１３に示した第３の実施形態と構成が同じであるため、重複する構成の説明については省略する。図１３は、本発明の可変情報印刷物とその可変情報印刷物の一部の拡大図を示す図である。図１３（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、可変情報３ａは、更に可変情報３ａと同一情報、同一形状かつ可変情報３ａより大きい輪郭可変情報６が、可変情報３ａの輪郭に沿って配置され、輪郭可変情報６は、機能性を有するインキで形成してもよく、例えば、無色の蛍光発光インキで形成してもよい。このように形成した図２７（ａ）に示す可変情報印刷物に対し、図２７（ｂ）に示すように、紫外線７を照射した際に輪郭可変情報６が発光して視認される。さらに、所定の模様２は、印刷ごとに異ならない情報を有する固定情報又は印刷ごとに異なる情報を有する可変情報から構成される基模様５になる場合もある。
【００５９】
図１４は、図１３（ａ）に示す可変情報印刷物のデータ階層構造を示す図である。図１４（ａ１）は、上位階層に当たり、可変情報領域４内に形成される可変情報３ａから構成された可変情報部３を示し、可変情報３ａから構成された可変情報部３は、０から９までの記番号を構成する白塗りのデータである。また、図１４（ａ２）は、中位階層に当たり、可変情報領域４内に形成される輪郭可変情報６を示し、輪郭可変情報６は、可変情報３ａから構成された可変情報部３の０から９までの記番号と同一情報、同一形状かつ可変情報３ａより大きく構成する黒線のデータである。輪郭可変情報６に機能性を有するインキの特性を持たせるため、無色の蛍光発光インキを黒線データに設定する。図１４（ａ３）は、下位階層に当たり、可変情報領域４内に形成される基模様５を示し、基模様５は、長方形を構成する白彩紋のデータである。
【００６０】
（印刷物に関する第６の実施形態）
本形態は、図１３に示した第３の実施形態と構成が同じであるため、重複する構成の説明については省略する。図１３は、本発明の可変情報印刷物とその可変情報印刷物の一部の拡大図を示す図である。図１３（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、可変情報３ａは、更に可変情報３ａと同一情報、同一形状かつ可変情報３ａより大きい輪郭可変情報６が、可変情報３ａの輪郭に沿って配置され、可変情報３ａは、機能性を有するインキで形成してもよく、例えば、無色の蛍光発光インキで形成してもよい。このように形成した図２８（ａ）に示す可変情報印刷物に対し、図２８（ｂ）に示すように、紫外線７を照射した際に可変情報３ａが発光して視認される。さらに、所定の模様２は、印刷ごとに異ならない情報を有する固定情報又は印刷ごとに異なる情報を有する可変情報から構成される基模様５になる場合もある。
【００６１】
図１４は、図１３（ａ）に示す可変情報印刷物のデータ階層構造を示す図である。図１４（ａ１）は、上位階層に当たり、可変情報領域４内に形成される可変情報３ａから構成された可変情報部３を示し、可変情報３ａから構成された可変情報部３は、０から９までの記番号を構成する白塗りのデータである。可変情報部３に機能性を有するインキの特性を持たせるため、無色の蛍光発光インキを白塗りのデータに設定する。図１４（ａ２）は、中位階層に当たり、可変情報領域４内に形成される輪郭可変情報６を示し、輪郭可変情報６は、可変情報３ａから構成された可変情報部３の０から９までの記番号と同一情報、同一形状かつ可変情報３ａより大きく構成する黒線のデータである。図１４（ａ３）は、下位階層に当たり、可変情報領域４内に形成される基模様５を示し、基模様５は、長方形を構成する白彩紋のデータである。
【００６２】
（印刷物に関する第７の実施形態）
本形態は、図１３に示した第３の実施形態と構成が同じであるため、重複する構成の説明については省略する。図１３は、本発明の可変情報印刷物とその可変情報印刷物の一部の拡大図を示す図である。図１３（ａ）に示すように、可変情報印刷物は、基材１の少なくとも一部に、所定の模様２を有した可変情報領域４を備え、所定の模様２の一部に、印刷ごとに異なる情報を有する可変情報３ａから構成された可変情報部３を有し、可変情報部３の中は所定の模様２を有していない構成となる。また、可変情報３ａは、更に可変情報３ａと同一情報、同一形状かつ可変情報３ａより大きい輪郭可変情報６が、可変情報３ａの輪郭に沿って配置され、輪郭可変情報６は、機能性を有するインキで形成してもよく、例えば、赤外線吸収インキで形成してもよい。このように形成した図２９（ａ）に示す可変情報印刷物に対し、図２９（ｂ）に示すように、ＩＲカメラ８で観察した際に輪郭可変情報６が視認される。また、基模様５は、長方形を構成する白彩紋であり、この白彩紋は機能性を有しない赤外線透過インキで形成してもよく、その場合、基模様５は視認されない。さらに、所定の模様２は、印刷ごとに異ならない情報を有する固定情報又は印刷ごとに異なる情報を有する可変情報から構成される基模様５になる場合もある。
【００６３】
図１４は、図１３（ａ）に示す可変情報印刷物のデータ階層構造を示す図である。図１４（ａ１）は、上位階層に当たり、可変情報領域４内に形成される可変情報３ａから構成された可変情報部３を示し、可変情報３ａから構成された可変情報部３は、０から９までの記番号を構成する白塗りのデータである。また、図１４（ａ２）は、中位階層に当たり、可変情報領域４内に形成される輪郭可変情報６を示し、輪郭可変情報６は、可変情報３ａから構成された可変情報部３の０から９までの記番号と同一情報、同一形状かつ可変情報３ａより大きく構成する黒線のデータである。可変情報部３に機能性を有するインキの特性を持たせるため、赤外吸収インキを黒線のデータに設定する。図１４（ａ３）は、下位階層に当たり、可変情報領域４内に形成される基模様５を示し、基模様５は、機能性を有しない赤外線透過インキを白彩紋のデータに設定する。
【００６４】
第５の実施形態から第７の実施形態までに挙げた機能性インキは、これらに限定されるものではなく、その他にも可視透過光下で観察した場合に通常の有色インキと異なる色彩で視認される有色浸透インキ、可視光下の所定の波長をカットするフィルタを透して観察した場合に通常の有色インキと異なる色彩で視認されるメタメリックインキ等が挙げられる。さらに、第３の実施の形態のみで説明したが、他の実施の形態においても形成可能である。
【００６５】
（ソフトウェアに関する第１の実施形態）
図１７は、可変情報印刷ソフトウェアで作成するレイアウトデータを示す図である。図１７（ａ）に示す可変情報印刷ソフトウェアは、一般では、バリアブル印刷ソフトウェアということが多く、可変情報印刷を行う場合に使用し、可変情報印刷の一例では、年賀葉書の裏面に干支等の絵柄を印刷し、表面には可変情報の住所と氏名等を印刷する年賀印刷ソフトウェア等がある。図１７（ａ）に示す可変情報印刷ソフトウェアでレイアウトデータを作成する。レイアウトデータは、基模様５を有した可変情報領域４を備え、基模様５の一部に、印刷ごとに異なる情報を有する可変情報３ａから構成された可変情報部３を有し、可変情報部３の中は基模様５を有していないデータである。
【００６６】
レイアウトデータのデータ階層構造は、図８に示すデータの階層構造と同等で、図８（ａ１）は、上位階層に当たり、可変情報領域４に有する可変情報３ａから構成された可変情報部３を示し、可変情報３ａから構成された可変情報部３は、０から９までの記番号を構成する白塗りのデータである。また、図８（ａ２）は、下位階層に当たり、可変情報領域４内に形成される基模様５を示し、基模様５は、長方形を構成する白彩紋のデータである。
【００６７】
図８（ａ１）及び（ａ２）は、データの階層構造を示しているため、基模様５の上に可変情報３ａから構成された可変情報部３を配置すると、可変情報３ａから構成された可変情報部３が０から９までの記番号を構成する白塗りのため、基模様５の長方形を構成する白彩紋の一部を隠蔽することになる。すなわち、これは階層構造のデータであるため、印刷用の最終データでは統合され、可変情報３ａから構成された可変情報部３の０から９までの記番号の中は基模様５（白彩紋）を有していないデータになる。レイアウトデータを作成する際は、基模様５が印刷ごとに異ならない情報を有する固定情報又は印刷ごとに異なる情報を有する可変情報部から構成されるデータであるか等、最終的な可変情報印刷物を想定してデータの階層構造の上下関係及びデータの形状を考慮し、レイアウトデータを作成する必要がある。
【００６８】
図１８は、可変情報印刷ソフトウェア、登録済みデータベース及び画像処理ソフトウェアの関係性を示す図である。図１８（ａ）が示す可変情報印刷ソフトウェアで作成されたレイアウトデータを基準に、可変情報印刷ソフトウェアの命令により、可変情報印刷ソフトウェアに図１８（ｂ）が示す登録済みデータベースを取り込み、そのデータベースに基づいて図１８（ｃ）が示す可変情報印刷ソフトウェアの命令で図１８（ｄ）が示す画像処理ソフトウェア上で可変情報領域４に有する可変情報３ａから構成された可変情報部３（０００００００００１）を作成し、図１８（ｃ）が示す可変情報印刷ソフトウェアの命令で、先に作成した可変情報部３（０００００００００１）のデータを可変情報印刷ソフトウェアに取り込み、レイアウトデータを基準に取り込みデータを置換しながら配置する。この工程を繰り返すことで、可変情報３ａから構成された可変情報部３のデータを複数作成し、配置することができる。
【００６９】
図１９は、可変情報印刷ソフトウェア、登録済みデータベース及び画像処理ソフトウェアの関係性を示す図である。図１９（ａ）が示す可変情報印刷ソフトウェアで作成されたレイアウトデータを基準に、可変情報印刷ソフトウェアの命令により、可変情報印刷ソフトウェアに図１９（ｂ）に示す登録済みデータベースを取り込み、そのデータベースに基づいて図１９（ｃ）が示す可変情報印刷ソフトウェアの命令で図１９（ｄ）が示す画像処理ソフトウェア上で可変情報領域４に有する基模様５に基づいて模様部（白彩紋）を作成し、図１９（ｃ）が示す可変情報印刷ソフトウェアの命令で、先に作成した模様部（白彩紋）のデータを可変情報印刷ソフトウェアに取り込み、レイアウトデータを基準に取り込みデータを置換しながら配置する。この工程を繰り返すことで、基模様５に基づいて模様部のデータを複数作成し、配置することができる。もし、基模様５が印刷ごとに異ならない情報を有する固定情報の場合は、基模様５に基づいて模様部のデータを複数作成せず、１つの基模様５を流用する場合もある。その場合は、レイアウトデータ又は登録済みデータベースに工夫を必要とする。
【００７０】
また、図１７（ａ）、図１８（ａ）及び図１９（ａ）が示す可変情報印刷ソフトウェアで作成されたレイアウトデータは、図面上での説明の関係で３つに示しているが、１つのレイアウトデータを示している。また、図１８（ｂ）及び図１９（ｂ）が示す登録済みデータベースも１つの登録済みデータベースを示している。さらに、図１８（ｄ）及び図１９（ｄ）が示す画像処理ソフトウェアも１つの画像処理ソフトウェアを示している。
【００７１】
（ソフトウェアに関する第２の実施形態）
図２０は、可変情報印刷ソフトウェアで作成するレイアウトデータを示す図である。図２０（ａ）に示す可変情報印刷ソフトウェアでレイアウトデータを作成する。レイアウトデータは、基模様５を有した可変情報領域４を備え、基模様５の一部に、印刷ごとに異なる情報を有する可変情報３ａから構成された可変情報部３を有し、可変情報部３の中は基模様５を有していないデータである。また、可変情報３ａは、更に可変情報３ａと同一情報、同一形状かつ可変情報３ａより大きい輪郭可変情報６が、可変情報３ａの輪郭に沿って配置されて成るデータである。
【００７２】
レイアウトデータのデータ階層構造は、図１４に示すデータの階層構造と同等で、図１４（ａ１）は、上位階層に当たり、可変情報領域４に有する可変情報３ａから構成された可変情報部３を示し、可変情報３ａから構成された可変情報部３は、０から９までの記番号を構成する白塗りのデータである。また、図１４（ａ２）は、中位階層に当たり、可変情報領域４に有する輪郭可変情報６を示し、輪郭可変情報６は、可変情報３ａから構成された可変情報部３の０から９までの記番号と同一情報、同一形状かつ可変情報３ａより大きく構成する黒線のデータである。さらに、図１４（ａ３）は、下位階層に当たり、可変情報領域４に有する基模様５を示し、基模様５は、長方形を構成する白彩紋のデータである。
【００７３】
図１４（ａ１）、（ａ２）及び（ａ３）は、データの階層構造を示しているため、基模様５の上に輪郭可変情報６を重ね、更にその上に可変情報３ａから構成された可変情報部３を配置すると、基模様５の長方形を構成する白彩紋の一部は、可変情報３ａから構成された可変情報部３の０から９までの記番号と同一情報、同一形状かつ可変情報３ａより大きく構成する黒線と、可変情報３ａから構成された可変情報部３が０から９までの記番号を構成する白塗りの２つのデータで隠蔽されることになる。すなわち、これは階層構造のデータであるため印刷用の最終データでは統合され、可変情報３ａから構成された可変情報部３の０から９までの記番号の中と、可変情報３ａから構成された可変情報部３の０から９までの記番号と同一情報、同一形状かつ可変情報３ａより大きい輪郭可変情報６の中は基模様５（白彩紋）を有していないデータになる。レイアウトデータを作成する際は、基模様５が印刷ごとに異ならない情報を有する固定情報又は印刷ごとに異なる情報を有する可変情報から構成されるデータであるか、また、輪郭可変情報を含む等、最終的な可変情報印刷物を想定してデータの階層構造の上下関係及びデータの形状を考慮し、レイアウトデータを作成する必要がある。
【００７４】
図２１は、可変情報印刷ソフトウェア、登録済みデータベース及び画像処理ソフトウェアの関係性を示す図である。図２１（ａ）が示す可変情報印刷ソフトウェアで作成されたレイアウトデータを基準に、可変情報印刷ソフトウェアの命令により、可変情報印刷ソフトウェアに図２１（ｂ）に示す登録済みデータベースを取り込み、そのデータベースに基づいて図２１（ｃ）が示す可変情報印刷ソフトウェアの命令で図２１（ｄ）が示す画像処理ソフトウェア上で可変情報領域４に有する可変情報３ａから構成された可変情報部３（０００００００００１）を作成し、図２１（ｃ）が示す可変情報印刷ソフトウェアの命令で、先に作成した可変情報部３（０００００００００１）のデータを可変情報印刷ソフトウェアに取り込み、レイアウトデータを基準に取り込みデータを置換しながら配置する。この工程を繰り返すことで、可変情報３ａから構成された可変情報部３のデータを複数作成し、配置することができる。
【００７５】
図２２は、可変情報印刷ソフトウェア、登録済みデータベース及び画像処理ソフトウェアの関係性を示す図である。図２２（ａ）が示す可変情報印刷ソフトウェアで作成されたレイアウトデータを基準に、可変情報印刷ソフトウェアの命令により、可変情報印刷ソフトウェアに図２２（ｂ）に示す登録済みデータベースを取り込み、そのデータベースに基づいて図２２（ｃ）が示す可変情報印刷ソフトウェアの命令で図２２（ｄ）が示す画像処理ソフトウェア上で可変情報領域４に有する輪郭可変情報６（０００００００００１）を作成し、図２２（ｃ）が示す可変情報印刷ソフトウェアの命令で、先に作成した輪郭可変情報６（０００００００００１）のデータを可変情報印刷ソフトウェアに取り込み、レイアウトデータを基準に取り込みデータを置換しながら配置する。この工程を繰り返すことで、輪郭可変情報６のデータを複数作成し、配置することができる。
【００７６】
図２３は、可変情報印刷ソフトウェア、登録済みデータベース及び画像処理ソフトウェアの関係性を示す図である。図２３（ａ）が示す可変情報印刷ソフトウェアで作成されたレイアウトデータを基準に、可変情報印刷ソフトウェアの命令により、可変情報印刷ソフトウェアに図２３（ｂ）に示す登録済みデータベースを取り込み、そのデータベースに基づいて図２３（ｃ）が示す可変情報印刷ソフトウェアの命令で図２３（ｄ）が示す画像処理ソフトウェア上で可変情報領域４に有する基模様５に基づいて模様部（白彩紋）を作成し、図２３（ｃ）が示す可変情報印刷ソフトウェアの命令で、先に作成した模様部（白彩紋）のデータを可変情報印刷ソフトウェアに取り込み、レイアウトデータを基準に取り込みデータを置換しながら配置する。この工程を繰り返すことで、基模様５に基づいて模様部のデータを複数作成し、配置することができる。もし、基模様５が印刷ごとに異ならない情報を有する固定情報の場合は、基模様５に基づいて模様部のデータを複数作成せず、１つの基模様５を流用する場合もある。その場合は、レイアウトデータ又は登録済みデータベースに工夫を必要とする。
【００７７】
また、図２０（ａ）、図２１（ａ）、図２２（ａ）及び図２３（ａ）が示す可変情報印刷ソフトウェアで作成されたレイアウトデータは、図面上での説明の関係で４つに示しているが、１つのレイアウトデータを示している。また、図２１（ｂ）、図２２（ｂ）及び図２３（ｂ）が示す登録済みデータベースも１つの登録済みデータベースを示している。さらに、図２１（ｄ）、図２２（ｄ）及び図２３（ｄ）が示す画像処理ソフトウェアも１つの画像処理ソフトウェアを示している。
【００７８】
図２４は、可変情報３ａの一例を示す図である。発明を実施するための形態において、可変情報３ａは記番号で説明してきたが、可変情報３ａは可変情報であるため、図２４（ａ）〜（ｅ）に示すように、ひらがな、カタカナ、漢数字、アルファベット、記号等であっても構わない。
【００７９】
図２５は、可変情報３ａの一例を示す図である。発明を実施するための形態において、可変情報３ａの記番号は、図２５（ａ）に示すように正体文字で示したが、図２５（ｂ）〜（ｇ）に示すように、斜体文字で傾斜と傾斜の方向が異なるものでも構わない。
【００８０】
図２６は、所定の模様２と基模様５の一例を示す図である。発明を実施するための形態において、所定の模様２と基模様５は白彩紋と黒彩紋で説明してきたが、所定の模様２と基模様５は、印刷ごとに異ならない情報を有する固定情報又は印刷ごとに異なる情報を有する可変情報であるため、図２６（ａ）〜（ｄ）が示す、幾何学模様、特殊形状網点による連続階調、通常網点による連続階調、特殊形状網点による模様等であってもよく、特に限定されるものではない。
【００８１】
本発明の可変情報印刷物の基材１は、特に限定されるものではなく、上質紙、コート紙、アート紙等の紙葉類を用いることができる。また、フィルム、プラスチック、それらの複合素材を用いることもできる。
【００８２】
本発明の可変情報印刷物の印刷方法としては、オフセット印刷、グラビア印刷、凹版印刷、スクリーン印刷、フレキソ印刷、デジタル印刷、インクジェットプリンタ、レーザプリンタ等、特に限定されるものではないが、微細な特殊形状網点を印刷する場合、オフセット印刷、デジタル印刷、インクジェットプリンタ、レーザプリンタが好ましい。また、本発明の可変情報印刷物は、可変情報であるため、オフセット印刷、グラビア印刷、凹版印刷、スクリーン印刷、フレキソ印刷等では、版面が存在するため、その版面の交換等で手間を要することから、デジタル印刷、インクジェットプリンタ、レーザプリンタ等の版面が存在せずデータから直接印刷する方式が好ましい。
【符号の説明】
【００８３】
１、１´  基材
２、２´  所定の模様
３、３´  可変情報部
３ａ、３ａ´  可変情報
４、４´  可変情報領域
５  基模様
６  輪郭可変情報
７  紫外線
８  ＩＲカメラ
Ａ  接点
Ｂ  接点
Ｃ  仮画像
【図１】
2019137042.tif 000003
【図２】
2019137042.tif 000004
【図３】
2019137042.tif 000005
【図４】
2019137042.tif 000006
【図５】
2019137042.tif 000007
【図６】
2019137042.tif 000008
【図７】
2019137042.tif 000009
【図８】
2019137042.tif 000010
【図９】
2019137042.tif 000011
【図１０】
2019137042.tif 000012
【図１１】
2019137042.tif 000013
【図１２】
2019137042.tif 000014
【図１３】
2019137042.tif 000015
【図１４】
2019137042.tif 000016
【図１５】
2019137042.tif 000017
【図１６】
2019137042.tif 000018
【図１７】
2019137042.tif 000019
【図１８】
2019137042.tif 000020
【図１９】
2019137042.tif 000021
【図２０】
2019137042.tif 000022
【図２１】
2019137042.tif 000023
【図２２】
2019137042.tif 000024
【図２３】
2019137042.tif 000025
【図２４】
2019137042.tif 000026
【図２５】
2019137042.tif 000027
【図２６】
2019137042.tif 000028
【図２７】
2019137042.tif 000029
【図２８】
2019137042.tif 000030
【図２９】
2019137042.tif 000031